【手続補正書】
【提出日】平成24年8月31日(2012.8.31)
【手続補正１】
【補正対象書類名】特許請求の範囲
【補正対象項目名】全文
【補正方法】変更
【補正の内容】
【特許請求の範囲】
【請求項１】
２つまたはそれ以上の群に分割され、群ごとに別個に通電可能な複数の高出力発光ダイオード（ＬＥＤ）を群ごとにそれぞれ設けられた電源により駆動する方法であって、前記方法が、
（ａ）前記それぞれの電源から第１のＬＥＤ群への供給電流の通電または遮断を行うステップと、
（ｂ）所定の待ち時間待機するステップと、
（ｃ）第２のＬＥＤ群に対して前記（ａ）と（ｂ）のステップを繰り返すステップとを含んで成る方法。
【請求項２】
前記待ち時間が、単独のＬＥＤ群が通電される場合の電源の立ち上がり時間または立ち下がり時間に相当する請求項１に記載の方法。
【請求項３】
通電されたＬＥＤ群の遮断は、該通電されたＬＥＤ群における所望の平均電流に従って行われる請求項１または２に記載の方法。
【請求項４】
（ｄ）前記（ａ）のステップの前に、所望の平均立ち上がりまたは立ち下がり電流に基づいてＬＥＤ群を分類することにより順番を決定するステップをさらに含み、
前記（ｃ）のステップが、
（ｃ１）通電されるべきＬＥＤ群の各々について前記通電の順番にて前記（ａ）と（ｂ）のステップを実行するステップを含む請求項１〜３のいずれかに記載の方法。
【請求項５】
前記（ｄ）のステップの前に、前記ＬＥＤ群の中で、複数群から成るサブセットをステップ（ｄ）とステップ（ｃ１）から除外し、
（ｃ２）前記（ｃ１）に従って通電した後、（ｃ１）で通電されたＬＥＤ群の１つの次の遮断までの残りの時間が、前記サブセットから選択したＬＥＤ群の所望のパルス持続時間より少なくとも待ち時間の２倍分長いか否か判断し、
（ｃ３）長いと判断した場合、前記サブセットの当該ＬＥＤ群の通電を行い、また所望のパルス持続時間経過後にその遮断を行い、
（ｃ４）前記所望のパルス持続時間の間に前記サブセットの全てのＬＥＤ群がオンされない限り、前記（ｃ２）と（ｃ３）を反復することを特徴とする請求項４に記載の方法。
【請求項６】
前記サブセットは、その所望のパルス持続時間がＬＥＤ群の総数に待ち時間を乗じた値より短いＬＥＤ群から成ることを特徴とする請求項５に記載の方法。
【請求項７】
（ｃ１）において通電された全てのＬＥＤ群が遮断された後前記サブセットの１つまたはそれ以上のＬＥＤ群が残った場合、残ったＬＥＤ群は前記（ａ）と（ｂ）のステップに従って所望のパルス持続時間オンされることを特徴とする請求項５または６に記載の方法。
【請求項８】
前記電源の供給電流の大きさが、ＬＥＤ群のＬＥＤを組合せた場合の最大ピーク電流より大きいことを特徴とする請求項１〜７のいずれかに記載の方法。
【請求項９】
ＬＥＤ群の通電および／または遮断を行う時点を、パルス幅変調（ＰＷＭ）と周波数変調（ＦＭ）とパルスコード変調（ＰＣＭ）と時分割変調（ＴＤＭ）とから選択される一つまたはそれ以上の変調技術を用いて行うことを特徴とする請求項１〜８のいずれかに記載の方法。
【請求項１０】
（ａ２）前記（ａ）のステップにより先に通電されたＬＥＤ群の遮断を、前記（ａ）のステップによる次のＬＥＤ群の通電と同時に行うことを特徴とする請求項１〜９のいずれかに記載の方法。
【請求項１１】
（ｅ）ＬＥＤ群を通電および遮断するサイクルをＬＥＤ群の数と等しい部分に等分し、
（ａ３）前記サイクル部分の１つの開始時に最初のＬＥＤ群の通電を行い、
前記（ａ２）のステップが、
（ａ４）前記サイクルの別の部分の開始時に第２のＬＥＤ群の通電を行うと共に、前記第１の群は第２の群の通電と同時に遮断することを含むことを特徴とする請求項１０に記載の方法。
【請求項１２】
前記１つまたはそれ以上の変調技術により各サイクルにおける所望のオン時間を決定するステップと、
前記（ａ３）と（ａ４）のステップにより、前記サイクルの１つまたはそれ以上の部分の間に１つまたはそれ以上のＬＥＤ群をオンするステップ、とをさらに含む請求項１１に記載の方法。
【請求項１３】
前記サイクルの１つの部分の間に前記（ａ）と（ｂ）のステップによりＬＥＤ群の１つまたはそれ以上をオンおよびオフするステップをさらに含み、前記ＬＥＤ群の各々に異なるサイクル部分が割当てられることを特徴とする請求項１２に記載の方法。
【請求項１４】
ＬＥＤ群の１つについて、該ＬＥＤ群が比例的に短時間通電される可能性が低い期間において、該ＬＥＤ群を比例的に長い期間通電状態に維持することを特徴とする請求項１〜１３のいずれかに記載の方法。
【請求項１５】
前記電源が切換式電源から成ることを特徴とする請求項１〜１４のいずれかに記載の方法。
【請求項１６】
前記切換式電源の制御をＬＥＤ群の作動と同期させることを特徴とする請求項１５に記載の方法。
【請求項１７】
所望のオン時間、強度または作動時間をデジタル通信インタフェースを介しえ送信することを特徴とする請求項１〜１６のいずれかに記載の方法。
【請求項１８】
前記インタフェースを介して送信される強度が対数符号を含むことを特徴とする請求項１７に記載の方法。
【請求項１９】
光センサにより光度を測定するステップと、
測定した光度を用いてフィードバックを提供し、電源の供給電流の調節またはＬＥＤ群の作動時間の調節を行うステップとをさらに含むことを特徴とする請求項１〜１８のいずれかに記載の方法。
【請求項２０】
ＬＥＤ群の１つまたはそれ以上を変調信号の関数として作動するステップを特徴とする請求項１〜１９のいずれかに記載の方法。
【請求項２１】
各ＬＥＤ群が、その接続されたＬＥＤ群を通電するための作動要素に接続されており、各作動要素が制御装置に接続されており、前記方法が、請求項１〜２０のいずれかに従って、少なくとも１つの作動要素を、該作動要素に接続されているＬＥＤ群を通電または遮断するように制御するステップをさらに含むことを特徴とする請求項１〜２０のいずれかに記載の方法。
【請求項２２】
前記制御装置が時間制御要素を設けられており、作動要素の制御は所定の待ち時間内に単独の作動要素のみ作動することから成ることを特徴とする請求項２１に記載の方法。
【請求項２３】
前記待ち時間は、ＬＥＤ群が作動された場合の電源の立ち上がり時間または立ち下がり時間に相当することを特徴とする請求項２２に記載の方法。
【請求項２４】
各ＬＥＤ群が遮断された場合に電源の出力レベルを下げるかスイッチオフして供給電流を提供しないようにすることを含むことを特徴とする請求項１〜２３のいずれかに記載の方法。
【請求項２５】
ＬＥＤが第１の期間において該ＬＥＤの最大ピーク電流に相当する電流を供給され、前記第１期間は、前記第１期間を含む所定の第２期間の間の平均電流が該ＬＥＤの最大平均電流を超えないような最大持続期間を有することを特徴とする請求項１〜２４のいずれかに記載の方法。
【請求項２６】
２つまたはそれ以上の群に分割されている複数の高出力ＬＥＤ用の電源装置であって、前記電源装置が、
前記ＬＥＤに供給するために群ごとに設けられた電源と、
各ＬＥＤ群に関して所望の強度または作動時間を受信するための制御入力と、
各ＬＥＤ群に通電する目的でＬＥＤ群にそれぞれ連結されている作動要素と、
請求項１〜２５のいずれかに記載の方法によりＬＥＤ群を駆動するための制御装置とを含んで成ることを特徴とする電源装置。
【請求項２７】
前記制御入力がデジタル通信インタフェースを含むことを特徴とする請求項２６に記載の電源装置。
【請求項２８】
前記電源が切換式電源から成ることを特徴とする請求項２６または２７に記載の電源装置。
【請求項２９】
複数の高出力ＬＥＤと、請求項２６〜２８のいずれかに記載の電源装置とを含んで成る照明装置。
【請求項３０】
請求項２９に記載の少なくとも２つの照明装置と、
前記照明装置を駆動するための中央駆動装置と、
前記中央駆動装置から前記照明装置の駆動を行うために、前記中央駆動装置および前記照明装置の各々と連結されている好ましくはデジタル式の通信インタフェースとを含んで成る照明システム。